(57)【要約】【課題】機器に対応するＷｅｂページの一覧を提示すること。【解決手段】情報処理装置は、Ｗｅｂページごとに、当該Ｗｅｂページの識別情報と、当該Ｗｅｂページの処理に必要な条件を示す条件情報を記憶する条件情報記憶部と、機器より送信される、前記Ｗｅｂページの識別情報の一覧の取得要求に応じ、前記Ｗｅｂページごとに、当該Ｗｅｂページの前記条件情報と、前記機器より送信された前記機器の属性情報とを照合して、前記機器において処理可能なＷｅｂページを判定する判定部と、前記判定部によって前記機器において処理可能であると判定されたＷｅｂページの識別情報の一覧を、前記機器に返信する返信部とを有する。【選択図】図５
2013191196.tif 000002
【特許請求の範囲】
【請求項１】
Ｗｅｂページごとに、当該Ｗｅｂページの識別情報と、当該Ｗｅｂページの処理に必要な条件を示す条件情報を記憶する条件情報記憶部と、
機器より送信される、前記Ｗｅｂページの識別情報の一覧の取得要求に応じ、前記Ｗｅｂページごとに、当該Ｗｅｂページの前記条件情報と、前記機器より送信された前記機器の属性情報とを照合して、前記機器において処理可能なＷｅｂページを判定する判定部と、
前記判定部によって前記機器において処理可能であると判定されたＷｅｂページの識別情報の一覧を、前記機器に返信する返信部とを有する情報処理装置。
【請求項２】
前記条件情報は、Ｗｅｂページの処理に必要なプログラムの識別情報を含み、
前記属性情報は、前記機器にインストールされているプログラムの識別情報を含み、
前記判定部は、前記Ｗｅｂページごとに、前記条件情報に含まれているプログラムの識別情報のうち、前記属性情報に含まれていないプログラムの識別情報を特定し、
前記返信部は、前記判定部によってプログラムの識別情報が特定されたＷｅｂページの識別情報についても、当該プログラムの識別情報に関連付けて当該前記一覧に含める請求項１記載の情報処理装置。
【請求項３】
当該機器の属性情報を、請求項２記載の情報処理装置に送信する送信部と、
Ｗｅｂページの識別情報の一覧の取得要求を送信し、前記取得要求に応じて返信された前記一覧を表示装置に表示させる表示制御部と、
前記一覧において選択されたＷｅｂページの識別情報に対して、プログラムの識別情報が関連付けられている場合に、当該プログラムをネットワークを介して取得する取得部とを有する機器。
【請求項４】
ネットワークを介して接続される機器と情報処理装置とを含む情報処理システムであって、
前記情報処理装置は、
Ｗｅｂページごとに、当該Ｗｅｂページの識別情報と、当該Ｗｅｂページの処理に必要な条件を示す条件情報を記憶する条件情報記憶部と、
前記機器より送信される、前記Ｗｅｂページの識別情報の一覧の取得要求に応じ、前記Ｗｅｂページごとに、当該Ｗｅｂページの前記条件情報と、前記機器より送信された前記機器の属性情報とを照合して、前記機器において処理可能なＷｅｂページを判定する判定部と、
前記判定部によって前記機器において処理可能であると判定されたＷｅｂページの識別情報の一覧を、前記機器に返信する返信部とを有する情報処理システム。
【請求項５】
前記条件情報は、Ｗｅｂページの処理に必要なプログラムの識別情報を含み、
前記属性情報は、前記機器にインストールされているプログラムの識別情報を含み、
前記判定部は、前記Ｗｅｂページごとに、前記条件情報に含まれているプログラムの識別情報のうち、前記属性情報に含まれていないプログラムの識別情報を特定し、
前記返信部は、前記判定部によってプログラムの識別情報が特定されたＷｅｂページの識別情報についても、当該プログラムの識別情報に関連付けて当該前記一覧に含める請求項４記載の情報処理システム。
【請求項６】
機器より送信される、Ｗｅｂページの識別情報の一覧の取得要求に応じ、条件情報記憶部がＷｅｂページごとに記憶する当該Ｗｅｂページの処理に必要な条件を示す条件情報と、前記機器より送信された前記機器の属性情報とを前記Ｗｅｂページごとに照合して、前記機器において処理可能なＷｅｂページを判定する判定手順と、
前記判定手順において前記機器において処理可能であると判定されたＷｅｂページの識別情報の一覧を、前記機器に返信する返信手順とを情報処理装置が実行する情報処理方法。
【請求項７】
前記条件情報は、Ｗｅｂページの処理に必要なプログラムの識別情報を含み、
前記属性情報は、前記機器にインストールされているプログラムの識別情報を含み、
前記判定手順は、前記Ｗｅｂページごとに、前記条件情報に含まれているプログラムの識別情報のうち、前記属性情報に含まれていないプログラムの識別情報を特定し、
前記返信手順は、前記判定手順においてプログラムの識別情報が特定されたＷｅｂページの識別情報についても、当該プログラムの識別情報に関連付けて当該前記一覧に含める請求項６記載の情報処理方法。
【請求項８】
機器が、
当該機器の属性情報を、請求項２記載の情報処理装置に送信する送信手順と、
Ｗｅｂページの識別情報の一覧の取得要求を送信し、前記取得要求に応じて返信された前記一覧を表示装置に表示させる表示制御手順と、
前記一覧において選択されたＷｅｂページの識別情報に対して、プログラムの識別情報が関連付けられている場合に、当該プログラムをネットワークを介して取得する取得手順とを実行する情報処理方法。
【請求項９】
ネットワークを介して接続される機器と情報処理装置とを含む情報処理システムにおける情報処理方法あって、
前記情報処理装置が、
前記機器より送信される、Ｗｅｂページの識別情報の一覧の取得要求に応じ、条件情報記憶部がＷｅｂページごとに記憶する当該Ｗｅｂページの処理に必要な条件を示す条件情報と、前記機器より送信された前記機器の属性情報とを前記Ｗｅｂページごとに照合して、前記機器において処理可能なＷｅｂページを判定する判定手順と、
前記判定手順において前記機器において処理可能であると判定されたＷｅｂページの識別情報の一覧を、前記機器に返信する返信手順とを実行する情報処理方法。
【請求項１０】
前記条件情報は、Ｗｅｂページの処理に必要なプログラムの識別情報を含み、
前記属性情報は、前記機器にインストールされているプログラムの識別情報を含み、
前記判定手順は、前記Ｗｅｂページごとに、前記条件情報に含まれているプログラムの識別情報のうち、前記属性情報に含まれていないプログラムの識別情報を特定し、
前記返信手順は、前記判定手順においてプログラムの識別情報が特定されたＷｅｂページの識別情報についても、当該プログラムの識別情報に関連付けて当該前記一覧に含める請求項９記載の情報処理方法。
【請求項１１】
機器より送信される、Ｗｅｂページの識別情報の一覧の取得要求に応じ、条件情報記憶部がＷｅｂページごとに記憶する当該Ｗｅｂページの処理に必要な条件を示す条件情報と、前記機器より送信された前記機器の属性情報とを前記Ｗｅｂページごとに照合して、前記機器において処理可能なＷｅｂページを判定する判定手順と、
前記判定手順において前記機器において処理可能であると判定されたＷｅｂページの識別情報の一覧を、前記機器に返信する返信手順とを情報処理装置に実行させる情報処理プログラム。
【請求項１２】
機器に、
当該機器の属性情報を、請求項２記載の情報処理装置に送信する送信手順と、
Ｗｅｂページの識別情報の一覧の取得要求を送信し、前記取得要求に応じて返信された前記一覧を表示装置に表示させる表示制御手順と、
前記一覧において選択されたＷｅｂページの識別情報に対して、プログラムの識別情報が関連付けられている場合に、当該プログラムをネットワークを介して取得する取得手順とを実行させる情報処理プログラム。
【発明の詳細な説明】
【技術分野】
【０００１】
本発明は、情報処理装置、機器、情報処理システム、情報処理方法、及び情報処理プログラムに関する。
【背景技術】
【０００２】
従来、ネットワークを介して、又は機器内から取得したＨＴＭＬ（Hyper Text Markup Language）データを機器の操作画面として表示するブラウザソフトが搭載された画像形成装置が存在する。このようなブラウソフトの中には、画面を表示するだけでなく、機器制御用に拡張されたスクリプト（以下、「拡張スクリプト」という。）を解釈して機器制御を実行することが可能なものも有る。拡張スクリプトを解釈可能なブラウザソフトによれば、拡張スクリプトをブラウザベースのＡＰＩ（Application Program Interface）として、カスタマイズ用に提供することができる（例えば、特許文献１）。
【０００３】
例えば、新規アプリケーションを開発するサードベンダ等は、ブラウザソフト上に表示されるＷｅｂページを、拡張スクリプトを利用して作成することにより、画像形成装置のハードウェアリソースを利用可能なサービスを、Ｗｅｂページを介して提供することができる。
【発明の概要】
【発明が解決しようとする課題】
【０００４】
上記のようなＷｅｂページの集合を所定のポータルサイトに登録することで、Ｗｅｂページの一覧が表示されるポータル画面を提供することが考えられる。ユーザは、斯かるポータル画面の中からＷｅｂページを選択することで、所望のＷｅｂページを容易に利用することができる。
【０００５】
しかしながら、各画像形成装置の性能又は能力は、必ずしも同じではない。したがって、ネットワークを介してダウンロードされるＷｅｂページに定義された拡張スクリプトが、全ての画像形成装置において同様に実行可能であるとは限らない。例えば、スキャンの実行命令を示すスクリプトを含むＷｅｂページが、スキャン機能を有さないプリンタにダウンロードされたとしても、当該プリンタは、当該拡張スクリプトにしたがった処理を実行することができない。
【０００６】
近年では、Ｗｅｂアプリケーションにアクセス可能な機器が多様化してきている。したがって、上記のような、Ｗｅｂページと機器との間の不整合が発生する可能性は、画像形成装置に限られず、Ｗｅｂページにアクセス可能な機器に共通の課題であると考えられる。
【０００７】
本発明は、上記の点に鑑みてなされたものであって、機器に対応するＷｅｂページの一覧を提示することのできる情報処理装置、機器、情報処理システム、情報処理方法、及び情報処理プログラムの提供を目的とする。
【課題を解決するための手段】
【０００８】
そこで上記課題を解決するため、情報処理装置は、Ｗｅｂページごとに、当該Ｗｅｂページの識別情報と、当該Ｗｅｂページの処理に必要な条件を示す条件情報を記憶する条件情報記憶部と、機器より送信される、前記Ｗｅｂページの識別情報の一覧の取得要求に応じ、前記Ｗｅｂページごとに、当該Ｗｅｂページの前記条件情報と、前記機器より送信された前記機器の属性情報とを照合して、前記機器において処理可能なＷｅｂページを判定する判定部と、前記判定部によって前記機器において処理可能であると判定されたＷｅｂページの識別情報の一覧を、前記機器に返信する返信部とを有する。
【発明の効果】
【０００９】
機器に対応するＷｅｂページの一覧を提示することができる。
【図面の簡単な説明】
【００１０】
【図１】本発明の実施の形態における情報処理システムの構成例を示す図である。
【図２】本発明の実施の形態における画像形成装置のハードウェア構成例を示す図である。
【図３】本発明の実施の形態におけるポータルサーバ装置のハードウェア構成例を示す図である。
【図４】本発明の実施の形態の画像形成装置のソフトウェア構成例を示す図である。
【図５】本発明の実施の形態のＷｅｂサーバ装置、ポータルサーバ装置、及び整合性判定装置の機能構成例を示す図である。
【図６】ポータルページの表示処理の処理手順の一例を説明するための図である。
【図７】機器情報記憶部の構成例を示す図である。
【図８】Ｗｅｂページ一覧記憶部の構成例を示す図である。
【図９】判定結果情報の一例を示す図である。
【図１０】ポータル画面の表示例を示す図である。
【図１１】選択画面の表示例を示す図である。
【図１２】整合性の判定処理の処理手順の一例を説明するためのフローチャートである。
【図１３】条件情報記憶部の構成例を示す図である。
【図１４】本発明の実施の形態のＷｅｂサーバ装置の第二の機能構成例を示す図である。
【発明を実施するための形態】
【００１１】
以下、図面に基づいて本発明の実施の形態を説明する。図１は、本発明の実施の形態における情報処理システムの構成例を示す図である。図１の情報処理システム１において、一台以上の画像形成装置１０ａ、一台以上のプロジェクタ１０ｂ、及び一台以上の携帯端末１０ｃ等は、ＬＡＮ（Local Area Network）又はインターネット等のネットワーク（有線又は無線の別は問わない。）を介して、一台以上のＷｅｂサーバ装置２０、及びポータルサーバ装置３０等と通信可能に接続されている。また、ポータルサーバ装置３０は、整合性判定装置４０と、ＬＡＮ又はインターネット等のネットワークを介して、通信可能に接続されている。
【００１２】
機器１０の第一の例としての画像形成装置１０ａは、印刷、スキャン、コピー、及びＦＡＸ送受信等のうちの二以上の機能を一台の筐体によって実現する複合機である。但し、いずれか一つの機能を単体で有する機器が画像形成装置１０ａとして用いられてもよい。本実施の形態において、各画像形成装置１０ａは、操作パネル（後述される、操作パネル１５）にＷｅｂページの表示等を実行させるプログラムとしてＷｅｂブラウザを有する。Ｗｅｂブラウザは、画像形成装置１０ａ用に機能拡張が図られている。そこで、以下、機器１０の固有の機能に合わせて機能拡張が図られているＷｅｂブラウザを「機器ブラウザ」という。
【００１３】
機器１０の第二の例としてのプロジェクタ１０ｂは、画像を投影する機器１０である。プロジェクタ１０ｂも、例えば、プロジェクタ１０ｂが備える操作パネルにＷｅｂページの表示等を実行させるプログラムとしての機器ブラウザを有するものが有る。
【００１４】
機器１０の第三の例としての携帯端末１０ｃは、携帯電話、スマートフォン、タブレット型端末、ノートＰＣ、又はＰＤＡ（Personal Digital Assistance）等、携帯可能な情報処理端末である。携帯端末１０ｃも、例えば、携帯端末が備える表示部にＷｅｂページの表示等を実行させるプログラムとしての機器ブラウザを有するものが有る。
【００１５】
なお、画像形成装置１０ａ、プロジェクタ１０ｂ、及び携帯端末１０ｃを区別しないで総称する場合、単に、「機器１０」という。
【００１６】
画像形成装置１０ａ、プロジェクタ１０ｂ、及び携帯端末１０ｃのそれぞれが有する機器ブラウザの機能は、必ずしも一致しない。例えば、各機器ブラウザが解釈及び実行可能なスクリプトは異なりうる。具体的には、画像形成装置１０ａが有する機器ブラウザは、印刷、スキャン、又はＦＡＸ送信等、画像形成処理の実行命令を示すスクリプトについて、処理制御が可能である。プロジェクタ１０ｂが有する機器ブラウザは、画像の投影命令を示すスクリプトについて、処理制御が可能である。携帯端末１０ｃが有する機器ブラウザは、例えば、電話の発信命令又はデジタルカメラによる撮影命令等を示すスクリプトについて、処理制御が可能である。
【００１７】
このように、各機器１０の機器ブラウザは、それぞれの機器１０に固有な機能の実行命令を示すスクリプトを解釈可能である。機器１０に固有な機能の実行命令を示すスクリプトは、いわゆる標準のスクリプト（例えば、Ｊａｖａ（登録商標）スクリプト等）には含まれていない。そこで、特に、機器１０に固有な機能の実行命令を示すスクリプトに限定して言及する場合、「拡張スクリプト」という。
【００１８】
Ｗｅｂサーバ装置２０は、Ｗｅｂページを提供するコンピュータである。本実施の形態において、Ｗｅｂページとは、ＨＴＭＬ（HyperText Markup Language）等、所定の形式に基づいて定義された画面情報や、当該画面情報に基づいて表示される画面に対する操作等に応じて発行される処理命令を示すスクリプト等が定義又は記述されているデータをいう。各Ｗｅｂページには、相互に異なるＵＲＬ（Uniform Resource Locator）が割り当てられている。或るＵＲＬ宛のＨＴＴＰリクエストが機器１０から送信された場合、当該ＨＴＴＰリクエストは、当該ＵＲＬに対応するＷｅｂページを提供するＷｅｂサーバ装置２０に対して転送される。
【００１９】
ポータルサーバ装置３０は、各Ｗｅｂサーバ装置２０が提供するＷｅｂページ群に対するポータルサイトを実現するコンピュータである。具体的には、ポータルサーバ装置３０は、Ｗｅｂサーバ装置２０が提供するＷｅｂページの一覧画面（以下、「ポータル画面」という。）を表示させるＷｅｂページ（以下、「ポータルページ」という。）を各機器１０に提供する。ユーザは、ポータルページを参照して、所望のＷｅｂページを選択することができる。
【００２０】
整合性判定装置４０は、ポータルサーバ装置３０に対してポータルページを要求する機器１０に関して、ポータルページに表示される各Ｗｅｂページとの整合性の有無の判定等を実行するコンピュータである。機器１０とＷｅｂページとの整合性とは、当該Ｗｅｂページを当該機器１０が処理可能であることをいう。より詳しくは、機器１０とＷｅｂページとの整合性とは、当該Ｗｅｂページに含まれている拡張スクリプトを、当該機器１０が実行可能であることをいう。
【００２１】
なお、本実施の形態では、便宜上、Ｗｅｂサーバ装置２０、ポータルサーバ装置３０、及び整合性判定装置４０は、別個のコンピュータであるが、２以上の装置の機能が一つのコンピュータにおいて実現されてもよい。
【００２２】
または、Ｗｅｂサーバ装置２０、ポータルサーバ装置３０、及び整合性判定装置４０のそれぞれは、分散された複数のコンピュータによって構成されてもよい。
【００２３】
更に、Ｗｅｂサーバ装置２０、ポータルサーバ装置３０、及び整合性判定装置４０は、複数の利用者から利用されうるアプリケーションやサービスを提供するクラウド環境の一部又は全部を構成してもよい。
【００２４】
図２は、本発明の実施の形態における画像形成装置のハードウェア構成例を示す図である。図２において、画像形成装置１０ａは、コントローラ１１、スキャナ１２、プリンタ１３、モデム１４、操作パネル１５、ネットワークインタフェース１６、及びＳＤカードスロット１７等のハードウェアを有する。
【００２５】
コントローラ１１は、ＣＰＵ１１１、ＲＡＭ１１２、ＲＯＭ１１３、ＨＤＤ１１４、及びＮＶＲＡＭ１１５等を有する。ＲＯＭ１１３には、各種のプログラムやプログラムによって利用されるデータ等が記憶されている。ＲＡＭ１１２は、プログラムをロードするための記憶領域や、ロードされたプログラムのワーク領域等として用いられる。ＣＰＵ１１１は、ＲＡＭ１１２にロードされたプログラムを処理することにより、各種の機能を実現する。ＨＤＤ１１４には、プログラムやプログラムが利用する各種のデータ等が記憶される。ＮＶＲＡＭ１１５には、各種の設定情報等が記憶される。
【００２６】
スキャナ１２は、原稿より画像データを読み取るためのハードウェア（画像読取手段）である。プリンタ１３は、印刷データを印刷用紙に印刷するためのハードウェア（印刷手段）である。モデム１４は、電話回線に接続するためのハードウェアであり、ＦＡＸ通信による画像データの送受信を実行するために用いられる。操作パネル１５は、ユーザからの入力の受け付けを行うためのボタン等の入力手段や、液晶パネル等の表示手段等を備えたハードウェアである。液晶パネルは、タッチパネル機能を有していてもよい。この場合、当該液晶パネルは、入力手段の機能をも兼ねる。ネットワークインタフェース１６は、ＬＡＮ等のネットワーク（有線又は無線の別は問わない。）に接続するためのハードウェアである。ＳＤカードスロット１７は、ＳＤカード８０に記憶されたプログラムを読み取るために利用される。すなわち、画像形成装置１０ａでは、ＲＯＭ１１３に記憶されたプログラムだけでなく、ＳＤカード８０に記憶されたプログラムもＲＡＭ１１２にロードされ、実行されうる。なお、他の記録媒体（例えば、ＣＤ−ＲＯＭ又はＵＳＢ（Universal Serial Bus）メモリ等）によってＳＤカード８０が代替されてもよい。すなわち、ＳＤカード８０の位置付けに相当する記録媒体の種類は、所定のものに限定されない。この場合、ＳＤカードスロット１７は、記録媒体の種類に応じたハードウェアによって代替されればよい。
【００２７】
図３は、本発明の実施の形態におけるポータルサーバ装置のハードウェア構成例を示す図である。図３のポータルサーバ装置３０は、それぞれバスＢで相互に接続されているドライブ装置３００、補助記憶装置３０２、メモリ装置３０３、ＣＰＵ３０４、及びインタフェース装置３０５等を有する。
【００２８】
ポータルサーバ装置３０での処理を実現するプログラムは、ＣＤ−ＲＯＭ等の記録媒体３０１によって提供される。プログラムを記憶した記録媒体３０１がドライブ装置３００にセットされると、プログラムが記録媒体３０１からドライブ装置３００を介して補助記憶装置３０２にインストールされる。但し、プログラムのインストールは必ずしも記録媒体３０１より行う必要はなく、ネットワークを介して他のコンピュータよりダウンロードするようにしてもよい。補助記憶装置３０２は、インストールされたプログラムを格納すると共に、必要なファイルやデータ等を格納する。
【００２９】
メモリ装置３０３は、プログラムの起動指示があった場合に、補助記憶装置３０２からプログラムを読み出して格納する。ＣＰＵ３０４は、メモリ装置３０３に格納されたプログラムに従ってポータルサーバ装置３０に係る機能を実行する。インタフェース装置３０５は、ネットワークに接続するためのインタフェースとして用いられる。
【００３０】
なお、Ｗｅｂサーバ装置２０及び整合性判定装置４０も、図３と同様のハードウェアを有している。
【００３１】
図４は、本発明の実施の形態の画像形成装置のソフトウェア構成例を示す図である。図４において、画像形成装置１０ａは、標準アプリ１５１、機器ブラウザ１５２、機器情報通知部１５３、インストール制御部１５４、ＳＤＫアプリ１５５、ＶＡＳ１５６、コントロールサービス１５７、及びＯＳ１５８等を有する。
【００３２】
ＯＳ１５８は、いわゆるＯＳ（Operating System）である。画像形成装置１０ａ上の各ソフトウェアは、ＯＳ１５８上においてプロセス又はスレッドとして動作する。
【００３３】
標準アプリ１５１は、画像形成装置１０ａに標準的に（出荷時に予め）実装されているアプリケーションプログラムの集合である。同図では、スキャンアプリ１５１１、印刷アプリ１５１２、コピーアプリ１５１３、及びＦＡＸアプリ１５１４が例示されている。スキャンアプリ１５１１は、スキャンジョブを実行する。印刷アプリ１５１２は印刷ジョブを実行する。コピーアプリ１５１３は、コピージョブを実行する。ＦＡＸアプリ１５１４は、ＦＡＸの送信ジョブ又は受信ジョブを実行する。
【００３４】
コントロールサービス１５７は、各種のハードウェアリソース等を制御するための機能を上位アプリケーション等に対して提供したり、画像形成装置１０ａの基盤的な機能等を実行したりするプログラムモジュール群である。
【００３５】
ＶＡＳ（Virtual Application Service）１５６は、コントロールサービス１５７のインタフェースをラッピングし、コントロールサービス１５７のバージョンアップに伴うインタフェースの相違点を吸収する。したがって、ＶＡＳ１５６上で動作するプログラムに対しては、コントロールサービス１５７のパージョン間の互換性が保証される。
【００３６】
ＳＤＫアプリ１５５は、画像形成装置１０ａに対するプラグインとして、画像形成装置１０ａの機能拡張を図るために開発されるアプリケーションである。すなわち、画像形成装置１０ａは、ＳＤＫアプリ１５５の開発用に公開されたＡＰＩ（Application Program Interface）を備える。ＶＡＳ１５６によって提供されるＡＰＩは、公開されたＡＰＩの一例である。なお、図４において、ＳＤＫアプリ１５５は、破線のブロック（矩形）によって表現されている。これは、複数のＳＤＫアプリ１５５が一台の画像形成装置１０ａにインストールされうることを示す。
【００３７】
機器ブラウザ１５２は、上述した機器ブラウザである。機器情報通知部１５３は、画像形成装置１０ａの属性情報（以下、「機器情報」という。）を、所定のタイミングでポータルサーバ装置３０に送信する。例えば、機器情報通知部１５３は、画像形成装置１０ａが起動されるたびに、機器情報をポータルサーバ装置３０に送信する。
【００３８】
インストール制御部１５４は、画像形成装置１０ａに対する各種のプログラムのインストール処理を制御する。各種のプログラムには、ＳＤＫアプリ１５５や、コントロールサービス１５７を構成するプログラムモジュールのインストール等が含まれる。
【００３９】
なお、画像形成装置１０ａ以外の各機器１０も、図４に示されるようなソフトウェア構成を有していてもよい。標準アプリ１５１については、機器１０ごとに固有の機能に応じたアプリケーションが実装されればよい。
【００４０】
図５は、本発明の実施の形態のＷｅｂサーバ装置、ポータルサーバ装置、及び整合性判定装置の機能構成例を示す図である。
【００４１】
図５において、Ｗｅｂサーバ装置２０は、Ｗｅｂページ提供部２１を有する。Ｗｅｂページ提供部２１は、Ｗｅｂページの取得要求（ＨＴＴＰリクエスト）において指定されたＵＲＬに対応するＷｅｂページを含む応答（ＨＴＴＰレスポンス）を、当該ＨＴＴＰリクエストの送信元に返信する。応答に含められるＷｅｂページは、予め生成され、記憶装置に保存されていてもよいし、Ｗｅｂページの取得要求に応じて生成されてもよい。
【００４２】
なお、Ｗｅｂページ提供部２１は、Ｗｅｂサーバ装置２０にインストールされた、例えば、Ｗｅｂアプリケーション等のプログラムが、Ｗｅｂサーバ装置２０のＣＰＵに実行させる処理により実現される。
【００４３】
ポータルサーバ装置３０は、機器情報受信部３１、整合性判定要求部３２、ポータルページ生成部３３、及び選択ページ生成部３４等を有する。これら各部は、ポータルサーバ装置３０にインストールされたプログラムが、ＣＰＵ３０４に実行させる処理により実現される。ポータルサーバ装置３０は、また、機器情報記憶部３５及びＷｅｂページ一覧記憶部３６等を利用する。こられ各記憶部は、補助記憶装置３０２、又はポータルサーバ装置３０とネットワークを介して接続される記憶装置等を用いて実現可能である。
【００４４】
Ｗｅｂページ一覧記憶部３６は、ポータルページにおいて選択候補とされるＷｅｂページの一覧情報を記憶する。当該一覧情報は、ユーザごとに設定されてもよい。なお、Ｗｅｂページの一覧情報とは、Ｗｅｂページの識別情報等の一覧をいう。
【００４５】
機器情報受信部３１は、画像形成装置１０ａより送信される機器情報を受信する。機器情報受信部３１は、受信された機器情報を機器情報記憶部３５に記憶する。
【００４６】
整合性判定要求部３２は、ポータルページの取得を要求する画像形成装置１０ａに関して、Ｗｅｂページ一覧記憶部３６にその識別情報等が記憶されている各Ｗｅｂページとの整合性の有無の判定を、整合性判定装置４０に要求する。整合性の有無の判定要求において、ポータルページの取得を要求する画像形成装置１０ａの機器情報と、Ｗｅｂページ一覧記憶部３６に記憶されている、各Ｗｅｂページの識別情報とが指定される。
【００４７】
ポータルページ生成部３３は、ポータルページを生成する。ポータルページ生成部３３は、整合性判定装置４０による判定結果に基づいて、Ｗｅｂページ一覧記憶部３６にその識別情報等が登録されているＷｅｂページの中で、ポータルページ上において選択候補とするＷｅｂページを決定する。
【００４８】
選択ページ生成部３４は、プログラムのインストールの許否をユーザに選択させるための画面（以下、「選択画面」という。）を表示させるＷｅｂページ（以下、「選択ページ」という。）を生成する。なお、本実施の形態において、インストールは、新たなプログラムのインストールのみならず、既存のプログラムのバージョンアップをも意味する。
【００４９】
整合性判定装置４０は、整合性判定部４１及びプログラム提供部４２を有する。これら各部は、整合性判定装置４０にインストールされたプログラムが、整合性判定装置４０のＣＰＵに実行させる処理により実現される。整合性判定装置４０は、また、条件情報記憶部４３及びプログラム記憶部４４を利用する。これら各記憶部は、整合性判定装置４０が有する補助記憶装置、又は整合性判定装置４０とネットワークを介して接続される記憶装置等を用いて実現可能である。
【００５０】
整合性判定部４１は、ポータルサーバ装置３０の整合性判定要求部３２からの要求に応じ、ポータルページの取得要求元の画像形成装置１０ａと、各Ｗｅｂページとの整合性の有無を判定する。整合性の有無の判定には、条件情報記憶部４３が利用される。整合性判定部４１は、判定結果を含む応答を整合性判定要求部３２に返信する。
【００５１】
条件情報記憶部４３は、Ｗｅｂページごとに、当該Ｗｅｂページを処理するために必要な条件を示す情報を記憶する。
【００５２】
プログラム提供部４２は、プログラムの取得要求（ダウンロード要求）に応じ、取得要求に係るプログラムを返信する。当該プログラムは、プログラム記憶部４４より取得される。プログラム記憶部４４は、プログラムの識別情報（プログラムＩＤ）とバージョン情報とに関連付けて、プログラムの実体を記憶する。
【００５３】
以下、情報処理システム１において実行される処理手順について説明する。図６は、ポータルページの表示処理の処理手順の一例を説明するための図である。図６では、アクティビティ図の形式で、当該処理手順が示されている。
【００５４】
画像形成装置１０ａの機器情報通知部１５３は、当該画像形成装置１０ａの起動時等、所定のタイミングにおいて、当該画像形成装置１０ａの機器情報を、ポータルサーバ装置３０に送信する（Ｓ１０１）。ポータルサーバ装置３０の機器情報受信部３１は、機器情報の受信に応じ、当該機器情報を、機器情報記憶部３５に記憶する（Ｓ１０２）。
【００５５】
図７は、機器情報記憶部の構成例を示す図である。図７において、機器情報記憶部３５は、画像形成装置１０ａごとに、機体番号、機種ＩＤ、操作部サイズ、周辺装置情報、搭載機能情報、オプション情報、メモリ空き容量、ストレージ空き容量、及びプログラム一覧等を記憶する。すなわち、本実施の形態では、これらの項目が、機器情報に含まれる。また、ステップＳ１０１では、これらの項目を含む機器情報が送信される。
【００５６】
機体番号は、各画像形成装置１０ａの機体（個体）ごとの識別情報である。機種ＩＤは、画像形成装置１０ａの機種の識別情報である。操作部サイズは、操作パネル１５における液晶パネルのサイズである。周辺装置情報は、ＩＣカードリーダやコインラック等の周辺装置の接続状況を示す情報である。搭載機能情報は、スキャン機能、印刷機能、ファクス機能、又はコピー機能等、画像形成装置１０ａに固有の機能の搭載状況を示す情報である。オプション情報は、フィニッシャ等、オプションとして設置可能なハードウェアの設置状況を示す情報である。メモリ空き容量は、ＲＡＭ１１２の空き容量である。ストレージ空き容量は、ＮＶＲＡＭ１１５やＨＤＤ１１４等の不揮発性の記憶装置の空き容量である。プログラム一覧は、画像形成装置１０ａにインストールされているプログラムの識別情報（プログラムＩＤ）及びバージョン情報の一覧である。ここでいうプログラムは、例えば、ＳＤＫアプリ１５５、又はコントロールサービス１５７に対して追加的にインストール可能なプログラムモジュール等をいう。
【００５７】
その後、操作パネル１５を介して、ユーザによってポータル画面の表示指示が入力されると（Ｓ１０３）、機器ブラウザ１５２は、ポータルページの取得要求を示すＨＴＴＰリクエストをポータルサーバ装置３０に送信する（Ｓ１０４）。当該取得要求には、当該画像形成装置１０ａの機体番号が指定される。又は、当該取得要求に、当該画像形成装置１０ａの機器情報が指定されてもよい。この場合、ステップＳ１０１及びＳ１０２は実行されなくてもよい。
【００５８】
ポータルサーバ装置３０においてポータルページの取得要求が受信されると、整合性判定要求部３２は、Ｗｅｂページ一覧記憶部３６より、Ｗｅｂページの一覧情報を取得する（Ｓ１０５）。
【００５９】
図８は、Ｗｅｂページ一覧記憶部の構成例を示す図である。図８において、Ｗｅｂページ一覧記憶部３６は、Ｗｅｂページごとに、ページＩＤ、バージョン情報、ページ名、及びＵＲＬ等を記憶する。ページＩＤは、各ＷｅｂページのＩＤある。バージョン情報は、ページＩＤが同じＷｅｂページに関して、バージョンを識別する情報である。ページ名は、Ｗｅｂページの名前である。例えば、Ｗｅｂページのタイトルが、ページ名として利用されてもよい。ＵＲＬは、Ｗｅｂページに対するＵＲＬである。なお、ＵＲＬが、ページＩＤとして用いられてもよい。
【００６０】
ステップＳ１０５では、少なくとも、各ＷｅｂページのページＩＤ及びバージョン情報が、Ｗｅｂページ一覧記憶部３６より取得される。
【００６１】
続いて、整合性判定要求部３２は、ポータルページの取得要求元の画像形成装置１０ａ（以下、「対象機器１０ａ」という。）の機器情報と、Ｗｅｂページの一覧情報とを指定して、整合性の判定要求を整合性判定装置４０に送信する（Ｓ１０６）。対象機器１０ａの機器情報は、ポータルページの取得要求に指定されている機体番号に基づいて、機器情報記憶部３５より取得される。但し、ポータルページの取得要求に機器情報が指定されている場合、当該機器情報が整合性判定装置４０に送信されてもよい。
【００６２】
整合性判定装置４０において整合性の判定要求が受信されると、整合性判定部４１は、当該判定要求に指定されている機器情報及びＷｅｂページの一覧情報と、条件情報記憶部４３に記憶されている情報とに基づいて、対象機器１０ａに関して、Ｗｅｂページ一覧情報に含まれる各Ｗｅｂページとの整合性の有無を判定する（Ｓ１０７）。ステップＳ１０７の詳細については後述される。整合性判定部４１は、判定結果を示す情報（以下、「判定結果情報」という。）含む応答を整合性判定要求部３２に返信する。
【００６３】
図９は、判定結果情報の一例を示す図である。図９において、判定結果情報は、Ｗｅｂページごとに、ページＩＤ、バージョン情報、判定結果、及び付加情報等を含む。
【００６４】
ページＩＤ及びバージョン情報は、整合性の判定対象とされたＷｅｂページのページＩＤ又はバージョン情報である。判定結果は、当該Ｗｅｂページに関する判定結果である。「０」は、整合性が無いことを示す。すなわち、判定結果が「０」であるＷｅｂページについては、対象機器１０ａでは正常に処理できない可能性が有ることを示す。「１」は、整合性が有ることを示す。「２」は、整合性を確保するために或るプログラムのインストールが必要であることを示す。換言すれば、「２」は、或るプログラムがインストールされることにより、整合性が確保されることを示す。
【００６５】
付加情報は、判定結果が「２」であるＷｅｂページに関して記録される。付加情報には、例えば、整合性を確保するためにインストールされるべきプログラムのプログラムＩＤ及びバージョン情報等が含まれる。
【００６６】
なお、判定結果情報には、整合性が無いＷｅｂページのページＩＤ及びバージョン情報、又は整合性が有るＷｅｂページのページＩＤ及びバージョン情報のいずれか一方が含まれなくてもよい。いずれか一方の情報によって、他方のＷｅｂページを特定することが可能であるからである。
【００６７】
ポータルサーバ装置３０において判定結果情報が受信されると、ポータルページ生成部３３は、当該判定結果情報と、Ｗｅｂページ一覧記憶部３６に記憶されている情報とに基づいて、ポータルページを生成する（Ｓ１０８）。ポータルページ生成部３３は、生成されたポータルページを含むＨＴＴＰレスポンスを、対象機器１０ａの機器ブラウザ１５２に返信する。
【００６８】
対象機器１０ａの機器ブラウザ１５２は、ポータルページの定義に基づいて、ポータル画面を操作パネル１５に表示させる（Ｓ１０９）。ユーザは、表示されたポータル画面を確認する（Ｓ１１０）。
【００６９】
図１０は、ポータル画面の表示例を示す図である。図１０に示されるように、ポータル画面には、Ｗｅｂページごとに、当該Ｗｅｂページを表示対象として選択させるためのアイコンが表示される。各アイコンには、対応するＷｅｂページのページ名が表示されている。但し、対象機器１０ａと整合性の有るＷｅｂページ、又は整合性の確保が可能なＷｅｂページに対応するアイコンのみが選択可能とされている。換言すれば、対象機器１０ａと整合性の無いＷｅｂページに対するアイコンは、グレーアウトされて表示される。すなわち、ポータルページ生成部３３は、判定結果情報に基づいて、対象機器１０ａと整合性の有るＷｅｂページ、又は整合性の確保が可能なＷｅｂページに対応するアイコンのみが操作可能とされ、対象機器１０ａと整合性の無いＷｅｂページに対するアイコンは、グレーアウトされるように（操作不能となるように）、ポータルページを生成する。整合性の確保が可能であるとは、現時点において整合性は無いが、或るプログラムをインストールすることにより、整合性が確保されることをいう。
【００７０】
図１０において、グレーアウトは破線によって表現されている。したがって、「ページＢ」のアイコンについては、ユーザは、選択することはできない。また、整合性の確保が可能であることは、アイコン５１１が付加されることによって示される。したがって、ユーザは、アイコン５１１によって、「ページＣ」については、整合性の確保が可能であることを認識することができる。
【００７１】
ユーザは、このようなポータル画面５１０を参照することにより、対象機器１０ａにおいて利用可能なＷｅｂページを容易に識別することができる。
【００７２】
続いて、ポータル画面５１０を介して、ユーザが利用を所望するＷｅｂページに対応するアイコンが選択される（Ｓ１１１）。選択されたアイコンが、整合性の確保が可能なＷｅｂページに対応する場合（図１０では、「ページＣ」のアイコンが選択された場合）、機器ブラウザ１５２は、ポータルページの定義に従って、選択ページの取得要求を示すＨＴＴＰリクエストをポータルサーバ装置３０に送信する。当該取得要求には、インストール対象のプログラムのプログラムＩＤ及びバージョン情報等が含まれる。すなわち、Ｗｅｂページ提供部２１は、判定結果情報において判定結果が「２」であるＷｅｂページに対応するアイコンが選択された場合に、インストール対象のプログラムのプログラムＩＤ及びバージョン情報が指定された選択ページの取得要求が送信されるように、ポータルページを生成する。
【００７３】
ポータルサーバ装置３０において、選択ページの取得要求が受信されると、選択ページ生成部３４は、選択ページを生成する（Ｓ１１３）。選択ページ生成部３４は、インストールの許可が選択された場合に、選択ページの取得要求に指定されているプログラムＩＤ及びバージョン情報に該当するプログラムのインストール命令を示すスクリプトが呼び出されるように、選択ページを生成する。選択ページ生成部３４は、生成された選択ページを含む応答を、機器ブラウザ１５２に返信する。
【００７４】
機器ブラウザ１５２は、受信された選択ページの定義に従って、選択画面を操作パネル１５に表示させる（Ｓ１１４）。
【００７５】
図１１は、選択画面の表示例を示す図である。図１１に示されるように、選択画面５２０は、メッセージ５２１、ＯＫボタン５２２、及びキャンセルボタン５２３等を含む。
【００７６】
メッセージ５２１は、選択されたＷｅｂページの利用には、プログラムのインストールが必要であること、及び当該プログラムのインストールの許否の問いあわせを示す。メッセージ５２１において「ｘｘｘｘｘ」の部分には、例えば、インストール対象のプログラムのプログラムＩＤ及びバージョン情報が表示される。複数のプログラムのインストールが必要である場合、複数のプログラムのプログラムＩＤ及びバージョン情報が列記されてもよい。
【００７７】
ユーザは、インストールを許可しない場合、キャンセルボタン５２３を押下する。キャンセルボタン５２３の押下に応じて、機器ブラウザ１５２は、ステップＳ１１０の状態に戻る。すなわち、機器ブラウザ１５２は、ポータル画面５１０を再表示させる。
【００７８】
ユーザが、インストールを許可すべく、ＯＫボタン５２２を押下すると、機器ブラウザ１５２は、選択ページの定義に従って、インストール対象のプログラムのプログラムＩＤ及びバージョン情報を指定して、プログラムのインストールをインストール制御部１５４に要求する（Ｓ１１６）。インストール制御部１５４に対するプログラムのインストール要求は、例えば、選択ページに定義されている、プログラムのインストール命令を示す拡張スクリプトが呼び出されることによって実行される。
【００７９】
インストール制御部１５４は、インストール要求に指定されたプログラムＩＤ及びバージョン情報を指定して、当該プログラムＩＤ及びバージョン情報に係るプログラムの取得要求（ダウンロード要求）を、整合性判定装置４０に送信する（Ｓ１１７）。整合性判定装置４０においてプログラムの取得要求が受信されると、プログラム提供部４２は、当該取得要求に指定されているプログラムＩＤ及びバージョン情報に関連付けられているプログラムをプログラム記憶部４４より取得する。プログラム提供部４２は、取得されたプログラムをインストール制御部１５４に返信する（Ｓ１１８）。
【００８０】
インストール制御部１５４は、返信されたプログラムを受信すると、当該プログラムを対象機器１０ａにインストールする（Ｓ１１９）。続いて、インストール制御部１５４は、当該プログラムのプロセス又はスレッドを起動する（Ｓ１２０）。続いて、インストール制御部１５４は、インストール要求に対する応答を、機器ブラウザ１５２に返却する。
【００８１】
なお、プログラムの取得（ダウンロード）は、整合性判定装置４０以外のコンピュータに対して要求されてもよい。例えば、整合性判定装置４０とは別にダウンロードサーバが設置され、当該ダウンロードサーバが、プログラム提供部４２及びプログラム記憶部４４を有していてもよい。
【００８２】
続いて、機器ブラウザ１５２は、ポータル画面５１０において選択されたアイコンに関連付けられているＵＲＬ宛に、Ｗｅｂページの取得要求を示すＨＴＴＰリクエストを送信する（Ｓ１２１）。すなわち、ポータルページにおいて、各アイコンには、当該アイコンが対応するＷｅｂページに対するＵＲＬが関連付けられている。選択されたアイコンに対応するＷｅｂページが、整合性の確保が可能なＷｅｂページであり、ステップＳ１１２以降が実行される場合、選択されたアイコンに関連付けられているＵＲＬは、選択ページの取得要求及び選択ページに引き継がれる。選択ページには、ＯＫボタン５２２の押下に応じて、例えば、プログラムのインストール命令を示す拡張スクリプトが実行され、その後に当該ＵＲＬに対してＷｅｂページの取得要求が送信されるようにするための定義が含まれている。
【００８３】
なお、ステップＳ１１１において、整合性の有るＷｅｂページに対応するアイコンが選択された場合、機器ブラウザ１５２は、当該アイコンに関連付けられているＵＲＬ宛に、直ちにＷｅｂページの取得要求を送信する（Ｓ１２１）。
【００８４】
Ｗｅｂページの取得要求がＷｅｂサーバ装置２０において受信されると、Ｗｅｂページ提供部２１は、例えば、当該取得要求に指定されているＵＲＬに対応するＷｅｂページを生成する（Ｓ１２２）。但し、予め生成されているＷｅｂページが取得されてもよい。Ｗｅｂページ提供部２１は、生成又は取得されたＷｅｂページを、取得要求元の機器ブラウザ１５２に返信する。
【００８５】
対象機器１０ａの機器ブラウザ１５２は、返信されたＷｅｂページが受信されると、当該Ｗｅｂページが示す画面を操作パネル１５に表示させる（Ｓ１２３）。ユーザは、当該画面の操作を開始する（Ｓ１２４）。当該画面の操作に応じて、当該Ｗｅｂページに含まれている拡張スクリプトが実行される。当該拡張スクリプトが対象機器１０ａにおいて実行可能であることは、整合性判定装置４０によって検証済みである。また、必要に応じて当該拡張スクリプトの実行に必要なプログラムは自動的にインストールされている。したがって、対象機器１０ａは、当該画面に対する操作に応じた処理を、正常に実行できる可能性が高い。
【００８６】
続いて、ステップＳ１０７の詳細について説明する。図１２は、整合性の判定処理の処理手順の一例を説明するためのフローチャートである。
【００８７】
ステップＳ２０１において、整合性判定部４１は、整合性の判定要求に指定されたＷｅｂページの一覧情報のうちの一つのＷｅｂページの情報（ページＩＤ及びバージョン情報）を処理対象とする。続いて、整合性判定部４１は、処理対象のページＩＤ及びバージョン情報に関する条件情報を、条件情報記憶部４３より取得する（Ｓ２０２）。
【００８８】
図１３は、条件情報記憶部の構成例を示す図である。図１３に示されるように、条件情報記憶部４３は、ページＩＤ及びバージョンによって識別されるＷｅｂページごとに、共存可能プログラム一覧、必須プログラム一覧、及び環境情報等を含む条件情報を記憶する。
【００８９】
共存可能プログラム一覧は、当該Ｗｅｂページと排他関係にないプログラムのプログラムＩＤ及びバージョン情報の一覧である。Ｗｅｂページと排他関係にないプログラムとは、当該プログラムが画像形成装置１０ａに実行させる処理が、当該Ｗｅｂページに基づいて機器ブラウザ１５２が実行する処理に対して影響の無いプログラムをいう。換言すれば、Ｗｅｂページと排他関係に有るプログラムとは、当該プログラムが画像形成装置１０ａに実行させる処理によって、当該Ｗｅｂページに関する処理が正常に行われない可能性の有るプログラムをいう。共存可能プログラム一覧に含まれないプログラムは、当該Ｗｅｂページと排他関係に有るプログラムである。なお、共存可能プログラム一覧の代わりに、当該Ｗｅｂページと排他関係に有るプログラム（共存不可プログラム）の一覧が、条件情報において特定されてもよい。
【００９０】
必須プログラム一覧は、当該Ｗｅｂページが正常に処理されるために画像形成装置１０ａにインストールされていることが必須であるプログラムのプログラムＩＤ及びバージョン情報の一覧である。例えば、当該Ｗｅｂページに含まれる拡張スクリプトが実行された際に、呼び出されるプログラムのプログラムＩＤ及びバージョン情報が、必須プログラム一覧に含まれる。
【００９１】
環境情報は、当該Ｗｅｂページが正常に処理されるために必要な環境を示す情報である。本実施の形態において、環境情報は、機種ＩＤ、操作部サイズ、周辺装置情報、搭載機能情報、オブション情報、メモリ空き容量、及びストレージ空き容量等の項目を含む。これら各項目の意味は、機器情報を構成する、同一の項目名の項目の意味と同じである。すなわち、機種ＩＤは、当該Ｗｅｂページが正常に処理されうる機種の機種ＩＤである。操作部サイズは、当該Ｗｅｂページが正常に表示されうる液晶パネルのサイズである。周辺装置情報は、当該Ｗｅｂページが正常に処理されるために必要な周辺装置の情報である。当該機能情報は、当該Ｗｅｂページが正常に処理されるために必要な機能の情報である。オプション情報は、当該Ｗｅｂページが正常に処理されるために必要なオプション情報である。メモリ空き容量は、当該Ｗｅｂページが正常に処理されるために必要なメモリの空き容量である。ストレージ空き容量は、当該Ｗｅｂページが正常に処理されるために必要なストレージの空き容量である。
【００９２】
なお、各項目の値は、一つに限定されない。例えば、機種ＩＤ、操作部サイズとして、複数の値が設定されてもよい。
【００９３】
以上のように、条件情報は、機器情報に対する条件として設定される。なお、条件情報における共存可能プログラム一覧及び必須プログラム一覧は、機器情報におけるプログラム一覧に対する条件に相当する。
【００９４】
続いて、整合性判定部４１は、整合性の判定要求に指定された対象機器１０ａの機器情報と、ステップＳ２０２において取得された条件情報とを照合して、処理対象のＷｅｂページに関して、対象機器１０ａとの整合性の有無を判定する（Ｓ２０３）。具体的には、以下の（１）〜（８）の条件の全てが満たされる場合に、整合性は有ると判定される。
（１）機器情報の機種ＩＤが、条件情報の機種ＩＤに含まれていること。
（２）機器情報のプログラム一覧に含まれている全てのプログラムＩＤ及びバージョン情報の組み合わせが、条件情報の共存可能プログラム一覧に含まれていること。
（３）条件情報の必須プログラム一覧に含まれている全てのプログラムＩＤ及びバージョン情報の組み合わせが、機器情報のプログラム一覧に含まれていること。
（４）機器情報の周辺装置情報が、条件情報の環境情報における周辺装置情報を満たしていること。
（５）機器情報の搭載機能情報が、条件情報の環境情報における搭載機能情報を満たしていること。
（６）機器情報のオプション情報が、条件情報の環境情報におけるオプション情報を満たしていること。
（７）機器情報のメモリ空き容量が、条件情報の環境情報におけるメモリ空き容量以上であること。
（８）機器情報のストレージ空き容量が、条件情報の環境情報におけるストレージ空き容量以上であること。
【００９５】
上記の（１）〜（８）の全てが満たされる場合（Ｓ２０４でＹｅｓ）、整合性判定部４１は、処理対象のＷｅｂページのページＩＤ及びバージョンに関して、判定結果として「１」を判定結果情報（図９）に含める（Ｓ２０５）。
【００９６】
一方、上記（１）〜（８）のいずれかが満たされない場合（Ｓ２０４でＮｏ）、整合性判定部４１は、満たされない条件が（３）のみであるか否かを判定する（Ｓ２０６）。すなわち、判定対象のＷｅｂページの処理に必須のプログラムが対象機器１０ａにインストールされていないことが、整合性の無い理由であるか否かが判定される。
【００９７】
満たされない条件が（３）のみである場合（Ｓ２０６でＹｅｓ）、整合性判定部４１は、処理対象のＷｅｂページのページＩＤ及びバージョンに関して、判定結果として「２」を判定結果情報（図９）に含める（Ｓ２０７）。続いて、整合性判定部４１は、条件情報の必須プログラムにふくまれているプログラムＩＤ及びバージョン情報の組み合わせのうち、機器情報のプログラム一覧に含まれていない組み合わせを、処理対象のＷｅｂページのページＩＤ及びバージョン情報に対する付加情報として、判定結果情報に含める（Ｓ２０８）。なお、当該組み合わせは、（３）の条件の判定時において、整合性判定部４１によって特定される。
【００９８】
一方、満たされない条件が（３）のみでない場合（Ｓ２０６でＮｏ）、整合性判定部４１は、処理対象のＷｅｂページのページＩＤ及びバージョンに関して、判定結果として「０」を判定結果情報（図９）に含める（Ｓ２０９）。
【００９９】
ステップＳ２０１〜Ｓ２０９が、整合性の判定要求に指定されたＷｅｂページの一覧情報に含まれる全てのページＩＤ及びバージョン情報の組み合わせに関して実行されると（Ｓ２１０でＹｅｓ）、図１２の処理は終了する。
【０１００】
上述したように、本実施の形態によれば、ポータルページの取得要求元の画像形成装置１０ａが処理可能なＷｅｂページのアイコンは、そうでないＷｅｂページと区別されてポータル画面に表示されるようにポータルページが生成される。したがって、ポータルページの取得要求元の画像形成装置１０ａに対応したＷｅｂページの一覧を、ユーザに提示することができる。
【０１０１】
また、本実施の形態によれば、画像形成装置１０ａにプログラムをインストールすることで処理が可能となるＷｅｂページに関しても、選択候補としてポータル画面に表示される。当該Ｗｅｂページが選択された場合、当該プログラムが自動的に取得され、インストールされる。したがって、利用可能なＷｅｂページを容易に増加させることができる。
【０１０２】
なお、本実施の形態では、画像形成装置１０ａに関して説明を行ったが、プロジェクタ１０ｂ又は携帯端末１０ｃ等、他の機器１０によって画像形成装置１０ａが置き換えられて、本実施の形態が実施されてもよい。また、デジタルカメラ等、非図示の機器１０によって、画像形成装置１０ａが置き換えられて、本実施の形態が実施されてもよい。
【０１０３】
なお、ポータルサーバ装置３０及び整合性判定装置４０の機能を、Ｗｅｂサーバ装置２０に実装する場合、例えば、Ｗｅｂサーバ装置２０は、図１４に示されるような機能構成を有してもよい。
【０１０４】
図１４は、本発明の実施の形態のＷｅｂサーバ装置の第二の機能構成例を示す図である。図１４中、図５と同一部分には同一符号を付し、その説明は省略する。
【０１０５】
図１４において、Ｗｅｂサーバ装置２０のソフトウェアは、サーバアプリ２１０及びプラットフォーム２２０等の層に分類されている。
【０１０６】
サーバアプリ２１０は、Ｗｅｂサーバ装置２０が提供するサービスを実現するアプリケーションプログラムである。当該サービスは、サーバアプリ２１０と画像形成装置１０等との連携によって実現されてもよい。また、当該サービスは、オンラインストレージ等、他のクラウドサービス等との連携によって実現されるサービスであってもよい。本実施の形態では、Ｗｅｂページ提供部２１が、サーバアプリ２１０の一例である。
【０１０７】
プラットフォーム２２０は、複数のサーバアプリ２１０に共通する機能、又は複数のサーバアプリ２１０から利用される基本機能等を含む。本実施の形態において、機器情報受信部３１、整合性判定要求部３２、ポータルページ生成部３３、選択ページ生成部３４、整合性判定部４１、及びプログラム提供部４２等は、プラットフォーム２２０に属する。プラットフォーム２２０の各部の機能は、プラットフォームＡＰＩ２４０を介してサーバアプリ２１０に公開されている。換言すれば、サーバアプリ２１０は、プラットフォームＡＰＩ２４０によって公開されている範囲においてこれら各部の機能を利用可能である。
【０１０８】
なお、図１４に示されるように、Ｗｅｂサーバ装置２０によって提供されるサービスは、画像形成装置１０ａ、プロジェクタ１０ｂ、及び携帯端末１０ｃ以外に、ＰＣ、会議システム、ＩＣレコーダ、及びデジタルカメラや、その他の新規デバイス等に関して実行されてもよい。
【０１０９】
また、図１４に示される各ソフトウェア及び各記憶部の分類形態は、一例であり、本実施の形態を実施するために、Ｗｅｂサーバ２０の各ソフトウェア及び各記憶部が、図１４に示されるような階層で分類されていることは必須ではない。すなわち、機器が、サーバアプリ２１０と連携可能であれば、Ｗｅｂサーバ２０におけるソフトウェア及び記憶部の階層関係等は、特定のものに限定されない。
【０１１０】
なお、本実施の形態において、ポータルサーバ装置３０及び整合性判定装置４０は、情報処理装置の一例である。すなわち、情報処理装置は、一台のコンピュータによって実現されてもよいし、複数台のコンピュータによって実現されてもよい。整合性判定部４１は、判定部の一例である。ポータルページ生成部３３は、返信部の一例である。機器ブラウザ１５２は、表示制御部の一例である。機器情報通知部１５３は、送信部の一例である。インストール制御部１５４は、取得部の一例である。
【０１１１】
以上、本発明の実施例について詳述したが、本発明は斯かる特定の実施形態に限定されるものではなく、特許請求の範囲に記載された本発明の要旨の範囲内において、種々の変形・変更が可能である。
【符号の説明】
【０１１２】
１            情報処理システム
１０          機器
１０ａ        画像形成装置
１０ｂ        プロジェクタ
１０ｃ        携帯端末
１１          コントローラ
１２          スキャナ
１３          プリンタ
１４          モデム
１５          操作パネル
１６          ネットワークインタフェース
１７          ＳＤカードスロット
２０          Ｗｅｂサーバ装置
２１          Ｗｅｂページ提供部
３０          ポータルサーバ装置
３１          機器情報受信部
３２          整合性判定要求部
３３          ポータルページ生成部
３４          選択ページ生成部
３５          機器情報記憶部
３６          Ｗｅｂページ一覧記憶部
４０          整合性判定装置
４１          整合性判定部
４２          プログラム提供部
４３          条件情報記憶部
４４          プログラム記憶部
８０          ＳＤカード
１１１        ＣＰＵ
１１２        ＲＡＭ
１１３        ＲＯＭ
１１４        ＨＤＤ
１１５        ＮＶＲＡＭ
１５１        標準アプリ
１５２        機器ブラウザ
１５３        機器情報通知部
１５４        インストール制御部
１５５        ＳＤＫアプリ
１５６        ＶＡＳ
１５７        コントロールサービス
１５８        ＯＳ
３００        ドライブ装置
３０１        記録媒体
３０２        補助記憶装置
３０３        メモリ装置
３０４        ＣＰＵ
３０５        インタフェース装置
１５１１      スキャンアプリ
１５１２      印刷アプリ
１５１３      コピーアプリ
１５１４      ＦＡＸアプリ
Ｂ            バス
【先行技術文献】
【特許文献】
【０１１３】
【特許文献１】特開２００６−３５２８４５号公報
【図１】
2013191196.tif 000003
【図２】
2013191196.tif 000004
【図３】
2013191196.tif 000005
【図４】
2013191196.tif 000006
【図５】
2013191196.tif 000007
【図６】
2013191196.tif 000008
【図７】
2013191196.tif 000009
【図８】
2013191196.tif 000010
【図９】
2013191196.tif 000011
【図１０】
2013191196.tif 000012
【図１１】
2013191196.tif 000013
【図１２】
2013191196.tif 000014
【図１３】
2013191196.tif 000015
【図１４】
2013191196.tif 000016